【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
リンク中のウェッブページを記録し、当該ウェッブページの記録ファイルを作成し保存する第１の工程と、
すでに記録保存された複数のウェッブページにおける所定のウェッブページにログインしようとするときに、前記複数のウェッブページの複数の記録ファイルから、当該所定のウェッブページの記録ファイルを選択し、当該所定のウェッブページにログインする第２の工程と
を有し、
前記第１の工程において、
前記リンク中のウェッブページで行ったすべての動作及び前記動作において処理されたデータを記録し、前記リンク中のウェッブページの前記記録ファイルを作成し、
前記第２の工程において、
前記選択された記録ファイルに従って、ウエッブブラウザーを起動し、前記所定のウェッブページにリンクし、
前記選択された記録ファイルに記録された前記所定のウェッブページで行っていたすべての動作を再現して実行し、前記所定のウェッブページにログインする
ことを特徴とするウェッブサイト管理方法。
【請求項２】
前記第１の工程において、前記複数の記録ファイルからなる一覧表を作成し、
前記第２の工程において、前記一覧表から、前記所定のウェッブページの記録ファイルを選択する
請求項１記載のウェッブサイト管理方法。
【請求項３】
前記リンク中のウェッブページを記録し保存しようとするときに、ホストシステムにおける所定のキーにより、前記ウェッブサイト管理方法を起動する
請求項１または２に記載のウエッブサイト管理方法。
【請求項４】
前記第１の工程は、さらに、
作成された前記記録ファイルに対してパスワードを設定するか否かを決定する工程と、
前記記録ファイルに対してパスワードを設定することが決定された場合に、前記記録ファイルに対してパスワードを設定する工程と
を含む
請求項１から３のいずれかに記載のウエッブサイト管理方法。
【請求項５】
前記第２の工程において、
前記選択された記録ファイルに記録されたウェッブページデータを取り出して、当該ウェッブページデータに基づいて、前記所定のウェッブページで行っていたすべての動作を再現して実行し、前記所定のウェッブページにログインする
請求項１から４のいずれかに記載のウエッブサイト管理方法。
【請求項６】
前記第１の工程において、前記リンク中のウェッブページで行っている動作及び前記動作において処理されているデータは、前記リンク中のウエッブページでアカウントおよびパスワードを入力して登録する動作、並びに、当該登録動作において入力したアカウントのデータおよびパスワードのデータを含む
請求項１から５のいずれかに記載のウエッブサイト管理方法。
【請求項７】
前記記録ファイルは携帯型記憶装置に保存される
請求項１から６のいずれかに記載のウエッブサイト管理方法。
【請求項８】
前記携帯型記憶装置がモバイルディスクを含む
請求項７に記載のウエッブサイト管理方法。
【手続補正２】
【補正対象書類名】明細書
【補正対象項目名】全文
【補正方法】変更
【補正の内容】
【発明の詳細な説明】
【発明の名称】ウエッブサイトの管理方法
【技術分野】
【０００１】
本発明は、ウエッブサイトの管理方法に関し、特に、ユーザーがウエッブページ上で入力したデータおよび行っている動作を監視測定して、ユーザーがログインしたウエッブページのデータを正確に収集する登録済みウエッブサイトの管理方法に関する。
【背景技術】
【０００２】
現在、多くのウエッブサイトが会員制を採用している。つまり、ユーザーは、会員になって初めて、これらウエッブサイトを利用することができる。このような仕組みにより、ウエッブサイト管理者はユーザーの個人情報を収集し、ユーザーのニーズを把握するとともに、ユーザーに商品を販売したり、サービスを提供したりすることができる。サービスを享受するために、ユーザーは登録し、これらウエッブサイトの会員になる。
【発明の開示】
【発明が解決しようとする課題】
【０００３】
ユーザーが登録加入している会員制のウエッブサイトの数は増大している。これによって問題が生じている。登録したウエッブサイトのアドレスが異なり、また、ウエッブサイトごとに設けられた登録制限も多様であるので、ユーザーが各ウエッブサイトに登録したアカウントならびにパスワードが通常同じではなく、多くの場合は、ユーザーは、登録した全部のウエッブサイトを覚えられず、よくアクセスするウエッブサイトを除いて、その他の登録済みウエッブサイトはあまりログインせず、時間が立つと、登録したアカウントおよびパスワードを思い出せないことがよくある。
【０００４】
そこで、本発明の目的は、ユーザーが登録済みのウエッブサイトを管理することを容易にするウエッブサイトの管理方法を提供することにある。
【０００５】
また、本発明の他の目的は、ユーザーが登録したアカウントおよびパスワードを覚えなくても、登録済みのウエッブサイトにログインすることのできるウエッブサイトの管理方法を提供することにある。
【課題を解決するための手段】
【０００６】
上記の目的を達成するために、本発明のウエッブサイトの管理方法は、リンク中のウェッブページを記録し、当該ウェッブページの記録ファイルを作成し保存する第１の工程と、すでに記録保存された複数のウェッブページにおける所定のウェッブページにログインしようとするときに、前記複数のウェッブページの複数の記録ファイルから、当該所定のウェッブページの記録ファイルを選択し、当該所定のウェッブページにログインする第２の工程とを有し、前記第１の工程において、前記リンク中のウェッブページで行ったすべての動作及び前記動作において処理されたデータを記録し、前記リンク中のウェッブページの前記記録ファイルを作成し、前記第２の工程において、前記選択された記録ファイルに従って、ウエッブブラウザーを起動し、前記所定のウェッブページにリンクし、前記選択された記録ファイルに記録された前記所定のウェッブページで行っていたすべての動作を再現して実行し、前記所定のウェッブページにログインすることを特徴とする。
【０００７】
好適に、前記第１の工程において、前記複数の記録ファイルからなる一覧表を作成し、  前記第２の工程において、前記一覧表から、前記所定のウェッブページの記録ファイルを選択する。
【０００８】
好適に、前記リンク中のウェッブページを記録し保存しようとするときに、ホストシステムにおける所定のキにより、前記ウェッブサイト管理方法を起動する。
【０００９】
好適に、前記第１の工程は、さらに、作成された前記記録ファイルに対してパスワードを設定するか否かを決定する工程と、前記記録ファイルに対してパスワードを設定することが決定された場合に、前記記録ファイルに対してパスワードを設定する工程と  を含む。
【００１０】
好適に、前記第２の工程において、前記選択された記録ファイルに記録されたウェッブページデータを取り出して、当該ウェッブページデータに基づいて、前記所定のウェッブページで行っていたすべての動作を再現して実行し、前記所定のウェッブページにログインする。
【００１１】
好適に、前記第１の工程において、前記リンク中のウェッブページで行っている動作及び前記動作において処理されているデータは、前記リンク中のウエッブページでアカウントおよびパスワードを入力して登録する動作、並びに、当該登録動作において入力したアカウントのデータおよびパスワードのデータを含む。
【００１２】
好適に、前記記録ファイルは携帯型記憶装置に保存される。より好適に、前記携帯型記憶装置がモバイルディスクを含む。
【００１３】
本発明によれば、ユーザーが登録したウエッブサイトを記録する時、このウエッブサイトに対応する記録ファイルを一覧表示するので、ユーザーは容易に登録済みウエッブサイトを確認でき、管理が簡単かつ効率である。また、本発明は、ユーザーがウエッブページ上に登録したアカウントおよびパスワードの動作ならびにデータを記録ファイルに保存するので、ユーザーがある記録ファイルを選択する時、対応するウエッブサイトにリンクするのみならず、記録ファイル内に保存された、ユーザーがこのウエッブページ上で行った全ての動作を自動的に再現して実行する。従って、ユーザーはアカウントおよびパスワードを覚える必要がなくなる。
【発明の効果】
【００１４】
本発明によるウエッブサイトの管理方法は、少なくとも下記の利点を備えている。
【００１５】
１．本発明を利用して記録したウエッブサイトは、一覧表方式でユーザーに表示されるため、ユーザーは、簡単に登録済みウエッブサイトを管理することができる。
【００１６】
２．ユーザーが記録ファイルを選択するだけで、選択された記録ファイルの内容に応じて、ユーザーの対応ページで行った全ての動作を自動的に再現して実行する。従って、ユーザーは、アカウント、パスワード、その他、ウエッブサイトへログインするためのデータを忘れたとしても、所望のウエッブサイトにログインできる。
【００１７】
３．ユーザーは、記録ファイルをモバイル保存装置に保存することができるため、ユーザーは、任意のコンピューターシステム上で本発明の方法を実行することができ、非常に便利である。
【００１８】
４．記録ファイルに対してパスワードを設定することができるので、記録ファイル内部に保存したデータの安全性を確保することができる。
【発明を実施するための最良の形態】
【００１９】
以下、本発明にかかる好適な実施形態を図面に基づいて説明する。
【００２０】
図１は、本発明の好適な実施形態にかかる登録済みウエッブサイトの管理方法を示すフローチャートである。
【００２１】
本発明の登録済みウエッブサイトの管理方法は、インターネット接続可能なホストシステム、例えば、パーソナル・コンピューター、パーソナル・デジタル・アシスタント（ＰＤＡ）…などで実施することができる。ユーザーがこのようなホストシステムを利用して、ステップＳ１０１であるウエッブサイトにリンクした時、ユーザーは、ステップＳ１０３でリンクされているウエッブサイトを新たに記録するか否かを決定する。記録しない場合（すなわちステップＳ１０３で「いいえ」を選択した時）、処理が終了する。リンクされているウエッブサイトを記録して管理すると決定した時（ステップＳ１０３に「はい」を選択した時）、ステップＳ１０５において、ユーザーがこのウエッブサイトの現在ページで行った全ての動作を記録するとともに、対応する記録ファイルを作成する。
【００２２】
この実施形態において、リンクされているウエッブサイトを新たに記録すると決定した後、ホストシステムの所定のキーをクリックして、本発明の管理方法を起動することができる。パーソナル・コンピューターを例にあげると、ユーザーは、マウスの中央キーを押すことによって、本発明の方法を起動し、このウエッブサイトの現在ページで行った全ての動作を記録する。
【００２３】
本実施形態において、ステップＳ１０５の上記動作は、つまりユーザーがこのウエッブサイトの現在ページで行った全ての動作を記録することは、ユーザーが文字入力欄に文字を入力する動作、および入力したデータを含む。例えば、ユーザーがアカウント入力欄にアカウントを入力し、パスワード入力欄にパスワードを入力した時、そのアカウントならびにパスワードを入力する動作が記録され、また、アカウントおよびパスワードのデータも記録される。
【００２４】
ステップＳ１０５で記録ファイルを作成した後、ユーザーは、ステップＳ１０７で記録ファイルを保存する。この実施形態において、ユーザーが記録ファイルを例えばモバイルディスクを含むモバイル保存装置へ保存すれば、携帯に便利なものとなる。
【００２５】
図２において、本発明の好適な実施形態にかかる記録ファイル作成のフローチャートを示す。
【００２６】
ユーザーが図１のステップＳ１０３でリンクしたウエッブサイトを記録することを確認した後、ステップＳ２０１でユーザーがリンクしたウエッブサイトの現在ページで行う全ての動作を記録し始める。ステップＳ２０３で記録動作が完了したか否かを判断する。記録動作が完了していない場合は（つまりステップＳ２０３に「いいえ」の場合）、ステップＳ２０３を繰り返す。記録動作を完了した場合は（すなわちステップＳ２０３に「はい」の場合）、ステップＳ２０５で記録ファイルを作成する。
【００２７】
好適な実施形態において、記録ファイルを作成した後、ステップＳ２０７で記録ファイルに対してパスワードを設定するか否かを判定する。記録ファイルに対してパスワードを設定しない場合（すなわちステップＳ２０７に「いいえ」の場合）、図１のステップＳ１０７に進み、記録ファイルを保存する。一方、記録ファイルに対してパスワードを設定する場合（つまりステップＳ２０７に「はい」の場合）、ステップＳ２０９において例えばダイアローグ・ボックスにより、ユーザーが記録ファイルに対してパスワードを設定するよう要求する。バスワードを設定した後、記録ファイルを保存する。
【００２８】
上記した実施形態において、記録ファイルに対するパスワード設定方法として、ユーザーがパスワードを設定するように要求するとなっているが、本発明はこれに限定されない。当業者はいかなる方法で記録ファイルに対してパスワードを設定することができる。
【００２９】
本発明において、記録ファイルを作成した後、記録ファイルの一覧表を作成することができる。この一覧表は、作成された全ての記録ファイルを表示して、ユーザーの選択に供する。ユーザーが一覧表中から１つの記録ファイルを選択した時、その選択した記録ファイルに応じて、自動的にブラウザーを起動させ、対応するページにリンクし、選択された記録ファイルに記録されたユーザーの対応ページで行った全ての動作を自動的に再現して実行する。
【００３０】
図３において、ユーザーが対応ページで行った全ての動作を自動的に再現して実行するフローチャートを示す。ユーザーがステップＳ３０１で１つの保存されている記録ファイルを選択した後、ステップＳ３０３で記録ファイル内のデータを取り出す。記録ファイルは、図２のステップＳ２０９で述べたように、パスワードが設定されている時、ステップＳ３０３の前に、記録ファイルに対する解錠を行う必要がある。例えば、ある記録ファイルを選択した時、ダイアローグ・ボックスが表示され、パスワードの入力が要求される。ユーザーが正しいパスワードを入力した場合、ステップＳ３０３を実行する。
【００３１】
ステップＳ３０３を行った後、ステップＳ３０５でユーザーが選択した記録ファイルに基づいてブラウザーを起動するとともに、対応ページへリンクし、ステップＳ３０７でユーザーが選択した記録ファイルの内容に基づいて、選択した記録ファイルに記録されたユーザーの対応ページで行った全ての動作を自動的に再現して実行する。例えば、対応するページのアカウント入力欄にアカウントを自動的に入力し、パスワード欄にパスワードを自動的に入力する。
【００３２】
上記実施形態において、ユーザーが一覧表における記録ファイルを選択することによって、対応するウエッブサイトに自動的にログインするとなっているが、本発明はこれに限定するものではない。別な実施形態においては、ドラッグ方式で選択した記録ファイルをログインページ画面上に置くこともでき、あるいはこのログインページで本発明による自動ログイン機能を実行すれば、図３の処理を自動的に実行することができる。その他、当業者が実際の状況に応じて具体的なログイン方法を設計でき、これら変更は、本発明の主要な技術思想に影響しない。
【００３３】
以上のごとく、本発明を好適な実施例により開示したが、これら実施例は本発明を限定するものではなく、当業者であれば容易に理解できるように、本発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３４】
【図１】本発明の好適な実施例にかかる登録済みウエッブサイトの管理方法を示すフローチャートである。
【図２】本発明の好適な実施例にかかる記録ファイルを作成するフローチャートである。
【図３】本発明の好適な実施例にかかるユーザーが対応ページで行った全ての動作を自動的に再現して実行するフローチャートである。
【符号の説明】
【００３５】
Ｓ１０１，Ｓ１０３，Ｓ１０５，Ｓ１０７  登録済みウエッブサイトの管理方法を示す各ステップのフロー
Ｓ２０１，Ｓ２０３，Ｓ２０５，Ｓ２０７，Ｓ２０９  記録ファイルを作成する各ステップのフロー
Ｓ３０１，Ｓ３０３，Ｓ３０５，Ｓ３０７  ユーザーが対応ページで行った全ての動作を自動的に再現して実行する各ステップのフロー